(57)【要約】【課題】取得タイミングの異なるデータを１台の無線親機で収集可能な小型の無線システムを提供する。【解決手段】無線システムは、データ収集を行うマスター機器３と、無線子機２Ａ，２Ｂからのデータをマスター機器３に送信する無線親機１とを備える。無線子機２Ａは、マスター機器３からの指令信号に従ってデータを取得して無線親機１に送信し、無線子機２Ｂは、定期的にデータを取得して無線親機１に送信する。無線親機１は、マスター機器３からの指令信号に含まれる識別情報が無線子機２Ａの識別情報に一致する場合には、指令信号を無線子機２Ａに送信するとともに無線子機２Ａからデータを取得し、取得したデータをマスター機器３に送信する。また無線親機１は、マスター機器３からの指令信号に含まれる識別情報が無線子機２Ｂの識別情報に一致する場合には、無線子機２Ｂから定期的に受信したデータをマスター機器３に送信する。【選択図】図１
2012095044.tif 000002
【特許請求の範囲】
【請求項１】
データ収集を行うマスター機器と、
無線子機から送信されるデータを前記マスター機器に送信する無線親機とを備え、
前記無線子機は、前記マスター機器からの指令信号に従ってデータを取得し、取得したデータを前記無線親機に送信する第１の無線子機と、
定期的にデータを取得し、取得したデータを前記無線親機に送信する第２の無線子機とからなり、
前記無線親機は、前記マスター機器からの指令信号に含まれる識別情報が前記第１の無線子機に割り当てられた識別情報に一致する場合には、前記指令信号を前記第１の無線子機に送信するとともに前記第１の無線子機からデータを取得し、取得したデータを前記マスター機器に送信し、
前記マスター機器からの指令信号に含まれる識別情報が前記第２の無線子機に割り当てられた識別情報に一致する場合には、前記第２の無線子機から定期的に受信したデータを前記マスター機器に送信することを特徴とする無線システム。
【請求項２】
前記無線親機は、前記マスター機器から送信される指令信号の前記第１の無線子機への送信タイミングと、前記第２の無線子機からデータを受信した際に前記第２の無線子機に対して送信する応答信号の送信タイミングとが衝突した場合には、両者の送信タイミングをずらして各無線子機に送信することを特徴とする請求項１記載の無線システム。
【発明の詳細な説明】
【技術分野】
【０００１】
本発明は、無線システムに関するものである。
【背景技術】
【０００２】
従来から、ビルや工場等において電気設備の電力監視等を目的として多数分散配置された計測端末を一括監視するために、センタ装置と計測端末との間を無線親機及び無線子機を介した無線ネットワークで接続する無線システムが提供されている。例えば、集合住宅において各住戸に配設されたガス等の計測用のメータに無線子機を設置するとともに、公衆回線を介してセンタに接続されたコントローラに無線親機を有線で接続し、無線親機と無線子機との間で無線通信を行うことで各住戸のメータの検針値をセンタに送る自動検針に用いられる通信システムが特許文献１に開示されている。
【０００３】
また、図３（ａ）は無線ネットワークを利用した電力計測システムの概略構成図であり、この電力計測システムは、電力データを収集するマスター機器３と、マスター機器３との間が有線で接続され当該マスター機器３との間で有線通信を行う無線親機１と、無線親機１との間で無線通信を行う複数（図３（ａ）では２個）の無線子機２Ａ，２Ａとを備える。この電力計測システムでは、マスター機器３から無線親機１に電力データを要求する指令信号が送信されると、無線親機１は受信した指令信号を各無線子機２Ａに送信する。各無線子機２Ａは、受信した指令信号に従って自己に接続された端末機器の電力データを取得し、取得した電力データを含む応答信号を無線親機１に送信する。そして、無線親機１は、受信した応答信号をマスター機器３に送信し、マスター機器３は受信した応答信号から各端末機器の電力データを取得する。
【０００４】
さらに、図３（ｂ）は無線ネットワークを利用した温湿度計測システムの概略構成図であり、上述の電力計測システムと同様に、マスター機器３と、無線親機１と、複数（図３（ｂ）では２個）の無線子機２Ｂ，２Ｂとを備える。この温湿度計測システムでは、各無線子機２Ｂが自己に接続されたセンサ部（温度センサや湿度センサなど）による計測データ（温度や湿度など）を定期的に取得して無線親機１に送信し、無線親機１は受信した計測データをメモリに順次記憶させる。そして、マスター機器３から計測データを要求する指令信号が送信されると、無線親機１は蓄積させた計測データをメモリから読み出して、当該計測データを含む応答信号をマスター機器３に送信し、マスター機器３は受信した応答信号から計測データを取得する。
【先行技術文献】
【特許文献】
【０００５】
【特許文献１】特開平９−２３２８２号公報（段落［０００８］−段落［００１１］、及び、第１図）
【発明の概要】
【発明が解決しようとする課題】
【０００６】
ところで、上述の電力計測システムは、マスター機器３からデータを要求された時のみデータを取得できるもので、定期的に蓄積されたデータを取り込むことはできなかった。また、温湿度計測システムは、定期的に蓄積されたデータを取り込むことはできるが、マスター機器３からデータを要求された時点でのデータを取り込むことはできなかった。つまり、取り込みタイミングの異なる２つのデータを取り込めるように構成されたシステムはなかった。
【０００７】
本発明は上記問題点に鑑みて為されたものであり、その目的とするところは、取得タイミングの異なるデータを１台の無線親機で収集可能な小型の無線システムを提供することにある。
【課題を解決するための手段】
【０００８】
本発明の無線システムは、データ収集を行うマスター機器と、無線子機から送信されるデータをマスター機器に送信する無線親機とを備え、無線子機は、マスター機器からの指令信号に従ってデータを取得し、取得したデータを無線親機に送信する第１の無線子機と、定期的にデータを取得し、取得したデータを無線親機に送信する第２の無線子機とからなり、無線親機は、マスター機器からの指令信号に含まれる識別情報が第１の無線子機に割り当てられた識別情報に一致する場合には、指令信号を第１の無線子機に送信するとともに第１の無線子機からデータを取得し、取得したデータをマスター機器に送信し、マスター機器からの指令信号に含まれる識別情報が第２の無線子機に割り当てられた識別情報に一致する場合には、第２の無線子機から定期的に受信したデータをマスター機器に送信することを特徴とする。
【０００９】
この無線システムにおいて、無線親機は、マスター機器から送信される指令信号の第１の無線子機への送信タイミングと、第２の無線子機からデータを受信した際に第２の無線子機に対して送信する応答信号の送信タイミングとが衝突した場合には、両者の送信タイミングをずらして各無線子機に送信するのが好ましい。
【発明の効果】
【００１０】
取得タイミングの異なるデータを１台の無線親機で収集可能な小型の無線システムを提供することができるという効果がある。
【図面の簡単な説明】
【００１１】
【図１】本発明に係る無線システムの概略構成図である。
【図２】（ａ）は同上を構成する無線親機のブロック図、（ｂ），（ｃ）は同上を構成する無線子機のブロック図である。
【図３】（ａ），（ｂ）は従来の無線システムの概略構成図である。
【発明を実施するための形態】
【００１２】
以下に、本発明に係る無線システムの実施形態を図面に基づいて説明する。
【００１３】
図１は本実施形態の無線システムの概略構成図であり、本無線システムは、データ収集を行うマスター機器３と、マスター機器３と有線で接続される無線親機１と、無線親機１との間で無線通信を行う複数（図１では２個）の無線子機２Ａ，２Ｂとを備える。
【００１４】
マスター機器３は、例えばパソコン４からなり（図２（ａ）参照）、無線子機２Ａ，２Ｂに対して当該無線子機２Ａ，２Ｂが取得したデータを送るように指令する指令情報を含む指令信号の送信、及び無線子機２Ａ，２Ｂから返信される応答信号の受信を行う通信部（図示せず）を備える。なお、上記の指令信号には、無線子機２Ａ，２Ｂを識別するための識別情報が含まれている。ここに、マスター機器３は、上記の指令信号を送信してから一定期間（リトライ期間）の間に無線子機２Ａ，２Ｂからの応答信号を受信しなかった場合には、同一の指令信号を再度送信する。
【００１５】
無線親機１は、図２（ａ）に示すように、マスター機器３（例えばパソコン４）との間で有線を介して通信を行う有線通信部１２と、無線子機２Ａ，２Ｂとの間で無線通信を行う無線通信部１１と、有線通信部１２及び無線通信部１１を制御する制御部１０と、各無線子機２Ａ，２Ｂから送られてくるデータや無線子機２Ａ，２Ｂに割り当てられた識別情報などを記憶する記憶部１３とを備える。無線親機１の制御部１０は、マスター機器３から送信される指令信号を有線通信部１２で受信すると、受信した指令信号に含まれる識別情報から送信先の無線子機（無線子機２Ａ又は２Ｂ）を判別する。そして、判別の結果、送信先が無線子機２Ａである場合には、マスター機器３から受け取った指令信号を無線通信部１１から無線子機２Ａに送信させる。また、送信先が無線子機２Ｂである場合には、後述のように、無線子機２Ｂから定期的に受信した計測データを、有線通信部１２からマスター機器３に送信させる。
【００１６】
無線子機２Ａは、図２（ｂ）に示すように、端末機器５との間で有線を介して通信を行う有線通信部２２と、無線親機１との間で無線通信を行う無線通信部２１と、後述のＡＤ計測部２４と、有線通信部２２、無線通信部２１及びＡＤ計測部２４を制御する制御部２０と、対応する無線親機１との接続情報や自己に割り当てられた識別情報などを記憶する記憶部２３とを備える。無線子機２Ａの制御部２０は、上位の無線親機１から送信される指令信号を無線通信部２１で受信すると、受信した指令信号を自己に接続された端末機器５に有線通信部２２から送信させる。また、端末機器５から送信される応答信号を有線通信部２２で受信すると、受信した応答信号を上位の無線親機１に無線通信部２１から送信させる。なお、上記の応答信号には、端末機器５の電力データが含まれている。ここに、本実施形態では、無線子機２Ａにより第１の無線子機が構成されている。
【００１７】
無線子機２Ｂは、図２（ｃ）に示すように、無線親機１との間で無線通信を行う無線通信部２１と、センサ部（例えば温度センサや湿度センサなど）６で計測された計測データをＡＤ変換するＡＤ計測部２４と、無線通信部２１及びＡＤ計測部２４を制御する制御部２０と、対応する無線親機１との接続情報や自己に割り当てられた識別情報などを記憶する記憶部２３とを備える。なお、ＡＤ計測部２４は、センサ部６からの計測データを定期的に取り込むようになっており、本実施形態では温度や湿度などの計測データが入力される。ここに、本実施形態では、無線子機２Ｂにより第２の無線子機が構成されている。
【００１８】
ところで、無線子機２Ｂは、マスター機器３からの指令信号に関係なく、センサ部６から定期的に計測データを取得し、上位の無線親機１に送信している。そして、無線親機１からは、計測データを取得したことを通知する応答信号が無線子機２Ｂに送信される。ここで、無線親機１から無線子機２Ｂに送信される上記の応答信号の送信タイミングと、無線子機２Ａに対するマスター機器３からの指令信号の送信タイミングとが衝突する場合があるが、本実施形態では両者の送信タイミングをずらすことで、無線子機２Ａ，２Ｂへの信号の未達を防止している。その結果、タイムアウトによりマスター機器３が指令信号を再度送信する前に、システムを通信停止から復帰させることができ、システム全体の通信速度の低下を抑えることができる。
【００１９】
次に、本実施形態の無線システムの動作について説明する。無線子機２Ｂは、上述のように、マスター機器３からの指令信号に関係なく、センサ部６から定期的に計測データ（例えば温度や湿度など）を取得して上位の無線親機１に送信する。一方、無線親機１では、無線子機２Ｂに対して計測データを取得したことを通知する応答信号を送信するとともに、無線子機２Ｂから受信した計測データを、送信元の無線子機２Ｂ毎に記憶部１３に記憶させる。
【００２０】
マスター機器３から無線子機２Ａに対する指令信号が送信されると、無線親機１はこの指令信号に含まれる識別情報が無線子機２Ａに割り当てられた識別情報に一致することから、この指令信号を無線子機２Ａに送信する。無線親機１から指令信号を受け取った無線子機２Ａは、この指令信号を有線通信部２２から端末機器５に送信させる。そして、指令信号を受け取った端末機器５は、自己の電力データを含む応答信号を無線子機２Ａに送信する。端末機器５から応答信号を受け取った無線子機２Ａは、この応答信号を無線通信部２１から無線親機１に送信し、この応答信号を受け取った無線親機１は、有線通信部１２からこの応答信号をマスター機器３に送信する。そして、マスター機器３は、受け取った応答信号から端末機器５の電力データを取得するのである。
【００２１】
一方、マスター機器３から無線子機２Ｂに対する指令信号が送信されると、無線親機１はこの指令信号に含まれる識別情報が無線子機２Ｂに割り当てられた識別情報に一致することから、無線子機２Ｂから定期的に受け取り、蓄積させた計測データを記憶部１３から読み出すとともに、計測データを含む応答信号を有線通信部１２からマスター機器３に送信する。そして、マスター機器３は、受け取った応答信号からセンサ部６の計測データを取得するのである。
【００２２】
而して、本実施形態によれば、定期的にデータを計測して無線親機１に送信する無線子機（第２の無線子機）２Ｂ、及び送信要求に応じてデータを計測して無線親機１に送信する無線子機（第１の無線子機）２Ａにそれぞれ対応して無線親機１を備える必要がなく、１台の無線親機１のみで両方の無線子機２Ａ，２Ｂのデータを取得することができる。また、各無線子機２Ａ，２Ｂにそれぞれ対応して無線親機１を設けなくてもいいことから、小型の無線システムを提供でき、さらに従来例のように別々のシステムを用意しなくてもいいことから、システム構築が容易になるという利点もある。
【００２３】
なお、無線親機１及び無線子機２Ａ，２Ｂの個数は本実施形態に限定されるものではなく、使用用途などに応じて適宜設定すればよい。また、マスター機器３で収集するデータについても本実施形態に限定されるものではなく、取得タイミングが異なっていれば同一のデータであってもいいし、異なるデータであってもよい。さらに、本実施形態では、無線子機２Ａと端末機器５との間を有線通信部２２を介して接続し、端末機器５から直接電力データを取得しているが、ＡＤ計測部２４で端末機器５の電流・電圧を計測し、制御部２０において電力データを算出するようにしてもよい。
【符号の説明】
【００２４】
１  無線親機
２Ａ  無線子機（第１の無線子機）
２Ｂ  無線子機（第２の無線子機）
３  マスター機器
【図１】
2012095044.tif 000003
【図２】
2012095044.tif 000004
【図３】
2012095044.tif 000005